(57)【要約】【課題】  広帯域にわたって高い感度を有する放送用受信機付き携帯電話を提供する。【解決手段】  ループ素子５の開口面５ａに平行にミアンダ素子１４を配置し、両素子５，１４を給電点９で直結し並列に給電し、上下に分割された周波数帯を両素子５，１４が分担してアンテナとして動作する。【選択図】  図１
2006325133.tif 000002
【特許請求の範囲】
【請求項１】
筐体上端部近傍に設けられた放送受信用アンテナとして動作するループ素子と、
前記ループ素子の同調周波数を変化する可変同調手段と、
前記ループ素子に近接して配置した放送受信用アンテナとして動作するミアンダ素子又はヘリカル素子とを備え、
前記ループ素子と前記ミアンダ素子又は前記ヘリカル素子のそれぞれの給電部を直結したことを特徴とする放送受信機付き携帯電話。
【請求項２】
前記ミアンダ素子又は前記ヘリカル素子を前記ループ素子よりも筐体の上端部側に配置することを特徴とする請求項１記載の放送受信機付き携帯電話。
【請求項３】
前記ミアンダ素子又は前記ヘリカル素子の幅方向と前記ループ素子の開口面とを平行に配置することを特徴とする請求項１又は２記載の放送受信機付き携帯電話。
【請求項４】
前記ループ素子の同調周波数が前記可変同調手段によって放送受信周波数帯の下側帯域内で変化するように設定され、
前記ミアンダ素子又は前記ヘリカル素子の共振周波数が前記放送受信周波数帯の上側帯域内に設定されることを特徴とする請求項１、２又は３記載の放送受信機付き携帯電話。
【請求項５】
筐体上端部近傍に設けられた放送受信用アンテナとして動作する第１のループ素子と、
前記第１のループ素子の同調周波数を変化する可変同調手段と、
前記ループ素子に近接して配置した放送受信用アンテナとして動作する第２のループ素子とを備えたことを特徴とする放送受信機付き携帯電話。
【請求項６】
前記第２のループ素子の開口面を前記第１のループ素子の開口面と平行に配置することを特徴とする請求項５記載の放送受信機付き携帯電話。
【請求項７】
前記第２のループ素子を前記第１のループ素子よりも筐体の上端部側に配置することを特徴とする請求項５、６記載の放送受信機付き携帯電話。
【請求項８】
前記第２のループ素子に可変同調手段を備えることを特徴とする請求項５、６又は７記載の放送受信機付き携帯電話。
【請求項９】
前記第２のループ素子の同調周波数を前記第１のループ素子の同調周波数よりも高い周波数に設定することを特徴とする請求項７又は８記載の放送受信機付き携帯電話。
【請求項１０】
前記第２のループ素子を可倒式構造として、
前記第２のループ素子を引き出した状態において前記第２のループ素子の開口面と前記  第１のループ素子の開口面が平行可能に構成し、
前記第２のループ素子のループ長を前記第１のループ素子のループ長よりも長く設定することを特徴とする請求項５、６、７又は８記載の放送受信機付き携帯電話。
【発明の詳細な説明】
【技術分野】
【０００１】
本発明は、放送受信機能を有する放送用受信機付き携帯電話に関するものである。
【背景技術】
【０００２】
テレビジョン受信機能が搭載された携帯電話の放送受信用アンテナとしては、ループアンテナを用いたものが知られている（例えば特許文献１参照）。
ところで、放送用受信機付き携帯電話１００では、図１１に示すように、上部筐体１０１と下部筐体１０２とをヒンジ部１０３によって開閉自在に連結した折り畳み式携帯電話１００の筐体上端部にループアンテナ１０４を配置し、筐体内に配置される回路基板１０５に対して不平衡給電することにより、回路基板１０５のグランドパターンや筐体として形成される金属フレームにアンテナ電流の一部を分布させることにより放射抵抗を向上し、アンテナ効率を改善する構成が提案されている。
【０００３】
このような構成において、テレビジョン放送の周波数であるＵＨＦ帯においては、ループ長が１０分の１波長程度以下の微小ループアンテナとして動作するため、その動作周波数帯域は、例えば、４７０ＭＨｚにおいて１０ＭＨｚ程度と比較的狭くなる。
この対策として、図１１に示すような可変同調回路１０６を備えて受信チャネルに連動してループアンテナの同調周波数を変化する構成が知られている。なお、ループアンテナ１０４は、給電部１０７がテレビジョン受信回路１０６に接続されることで、テレビジョン放送電波を受信する。また、テレビジョン受信回路１０６はチャネル制御部１０９に接続されており、制御される。
【特許文献１】特開平１０-８４２０９公報
【発明の開示】
【発明が解決しようとする課題】
【０００４】
しかしながら、上記説明した従来のループアンテナ１０４では、テレビジョン放送電波の周波数であるＵＨＦ帯、例えば、４７０ＭＨｚ〜７１０ＭＨｚの全周波数帯域をカバーしようとすると、可変同調回路１０６の周波数変化幅を大きくする必要があるために、例えば可変容量ダイオードの損失に起因するアンテナ効率の劣化を招くという問題がある。
【０００５】
本発明は、上記事情に鑑みてなされたものであり、その目的は、広帯域にわたって高い感度を有する放送用受信機付き携帯電話を提供することを目的とする。
【課題を解決するための手段】
【０００６】
本発明の放送用受信機付き携帯電話は、筐体上端部近傍に設けられた放送受信用アンテナとして動作するループ素子と、前記ループ素子の同調周波数を変化する可変同調手段と、前記ループ素子に近接して配置した放送受信用アンテナとして動作するミアンダ素子又はヘリカル素子とを備え、前記ループ素子と前記ミアンダ素子又は前記ヘリカル素子のそれぞれの給電部を直結した構成を有している。
【０００７】
この構成により、放送受信用アンテナは内蔵されているので、使用時にアンテナが邪魔にならない。また、ループ素子の開口面に平行にミアンダ素子を配置し、両素子を給電点で直結し並列に給電し、上下に分割された周波数帯を両素子が分担してアンテナとして動作することにより、広帯域にわたって常に高い受信感度を得ることができる。
【０００８】
また、本発明の放送用受信機付き携帯電話は、前記ミアンダ素子又は前記ヘリカル素子を前記ループ素子よりも筐体の上端部側に配置した構成を有している。
【０００９】
この構成により、放送受信用アンテナが内蔵されているので、使用時にアンテナが邪魔にならず、かつ、広帯域にわたって常に高い受信感度が得られることとなる。
【００１０】
さらに、本発明の放送用受信機付き携帯電話は、前記ミアンダ素子又は前記ヘリカル素子の幅方向と前記ループ素子の開口面とを平行に配置した構成を有している。
【００１１】
この構成により、放送受信用アンテナが内蔵されているので、使用時にアンテナが邪魔にならず、かつ、広帯域にわたって常に高い受信感度が得られることとなる。
【００１２】
さらに、本発明の放送用受信機付き携帯電話は、前記ループ素子の同調周波数が前記可変同調手段によって放送受信周波数帯の下側帯域内で変化するように設定され、前記ミアンダ素子又は前記ヘリカル素子の共振周波数が前記放送受信周波数帯の上側帯域内に設定した構成を有している。
【００１３】
この構成により、放送受信用アンテナが内蔵されているので、使用時にアンテナが邪魔にならず、かつ、広帯域にわたって常に高い受信感度が得られることとなる。
【００１４】
さらに、本発明の放送用受信機付き携帯電話は、筐体上端部近傍に設けられた放送受信用アンテナとして動作する第１のループ素子と、前記第１のループ素子の同調周波数を変化する可変同調手段と、前記ループ素子に近接して配置した放送受信用アンテナとして動作する第２のループ素子とを備えた構成を有している。
【００１５】
この構成により、放送受信用アンテナが内蔵されているので、使用時にアンテナが邪魔にならず、かつ、広帯域にわたって常に高い受信感度が得られることとなる。
【００１６】
さらに、本発明の放送用受信機付き携帯電話は、前記第２のループ素子の開口面を前記第１のループ素子の開口面と平行に配置した構成を有している。
【００１７】
この構成により、放送受信用アンテナが内蔵されているので、使用時にアンテナが邪魔にならず、かつ、広帯域にわたって常に高い受信感度が得られることとなる。
【００１８】
さらに、本発明の放送用受信機付き携帯電話は、前記第２のループ素子を前記第１のループ素子よりも筐体の上端部側に配置した構成を有している。
【００１９】
この構成により、放送受信用アンテナが内蔵されているので、使用時にアンテナが邪魔にならず、かつ、広帯域にわたって常に高い受信感度が得られることとなる。
【００２０】
さらに、本発明の放送用受信機付き携帯電話は、前記第２のループ素子に可変同調手段を備えた構成を有している。
【００２１】
この構成により、放送受信用アンテナが内蔵されているので、使用時にアンテナが邪魔にならず、かつ、広帯域にわたって常に高い受信感度が得られることとなる。
【００２２】
さらに、本発明の放送用受信機付き携帯電話は、前記第２のループ素子の同調周波数を前記第１のループ素子の同調周波数よりも高い周波数に設定した構成を有している。
【００２３】
この構成により、放送受信用アンテナが内蔵されているので、使用時にアンテナが邪魔にならず、かつ、広帯域にわたって常に高い受信感度が得られることとなる。
【００２４】
さらに、本発明の放送用受信機付き携帯電話は、前記第２のループ素子を可倒式構造として、前記第２のループ素子を引き出した状態において前記第２のループ素子の開口面と前記第１のループ素子の開口面が平行可能に構成し、前記第２のループ素子のループ長を前記第１のループ素子のループ長よりも長く設定した構成を有している。
【００２５】
この構成により、放送受信時のみアンテナを伸張して使用し、それ以外のときはアンテナを収納できるためアンテナが邪魔にならず、かつ、使用時では広帯域にわたって常に高い受信感度が得られることとなる。
【発明の効果】
【００２６】
本発明は、ループ素子の開口面に平行にミアンダ素子を配置し、両素子を給電点で直結し並列に給電し、上下に分割された周波数帯を両素子が分担してアンテナとして動作することにより、広帯域にわたって常に高い受信感度性能が得られるという効果を有する放送用受信機付き携帯電話を提供することができるものである。
【発明を実施するための最良の形態】
【００２７】
以下、本発明の実施形態の放送用受信機付き携帯電話について、図面を用いて説明する。
(第１実施形態)
【００２８】
図１は本発明に係る第１実施形態の放送用受信機付き携帯電話の基本的構成図、図２（Ａ）は本発明の実施の形態１に係る携帯電話装置のループ素子を示す側面図、図２（Ｂ）は前記ループ素子の正面図、図３は第１実施形態に係る可変同調回路を示す回路図、図４は第１実施形態の放送用受信機付き携帯電話におけるＶＳＷＲ特性を示すグラフである。
【００２９】
図１に示すように、本実施形態の放送用受信機付き携帯電話は、上部筐体１及び下部筐体２がヒンジ部３によって回動可能なように支持された構造の折畳式携帯電話であって、筐体１上端部近傍に設けられた放送受信用アンテナとして動作するループ素子５と、ループ素子５の同調周波数を変化する可変同調手段である可変同調回路８と、ループ素子５に近接して配置した放送受信用アンテナとして動作するミアンダ素子１４（又はヘリカル素子）とを備えている。そして、ループ素子５とミアンダ素子１４（又は前記ヘリカル素子）のそれぞれの給電部９を直結したものである。
【００３０】
すなわち、上部筐体１の背面カバー４は電気的な絶縁性を有する樹脂材料による成形品で構成されており、下部筐体２も電気的な絶縁性を有する樹脂材料による成形品で構成される。上部筐体１の上端には、ループアンテナ素子としてのループ素子５が配置される。ループ素子５は、テレビジョン受信用内蔵アンテナとして動作するものである。ループ素子５は例えば幅Ｌ３が８ｍｍ、長さ１００ｍｍの導体板を折り曲げ成形して構成されたものであり、ループの開口面５ａの寸法は、例えば、４５ｍｍ（Ｌ６)×５ｍｍ（Ｌ２)である。この場合のループ長は、テレビジョン放送のＵＨＦ帯(４７０ＭＨｚ)において約０.１５波長となる。
【００３１】
ループ素子５はその開口面５ａが携帯電話の厚み方向と幅方向に平行になるように配置されている。図１においては、ループ素子５の開口面５ａはＸＹ平面に平行となり、この場合ループ素子５は水平偏波(Ｙ方向偏波)成分に対して高い感度を有する。ループ素子５の一端は、接地点６で上部筐体１内部の回路基板１３の高周波グランド電位に接地されている。
また、ループ素子５の他端である、接地点６が接続されていない側の端部７には、周波数制御手段である可変同調回路手段としての可変同調回路８が接続されている。ループ素子５の共振周波数は、可変同調回路８によりテレビジョン放送周波数である４７０ＭＨｚ〜７１０ＭＨｚのうち、下側帯域である４７０ＭＨｚ〜５７０ＭＨｚ程度の範囲において制御される。
【００３２】
ループ素子５の接地点から所定の間隔(例えば１０ｍｍ程度)だけ離れた位置には、給電部９が設置されている。これによって、給電部９のインピーダンスが、例えば５０オームまたは７５オームとなるように設定される。ループ素子５は、給電部９がテレビジョン受信回路１０に接続されることで、テレビジョン放送電波を受信する。チャネル制御部１１はテレビジョン受信回路１０の受信チャネルを設定する。テレビジョン受信回路１０で生成されるチューニング電圧１２により可変同調回路８を制御する。これにより、ループ素子５の同調周波数が受信チャネルに対応した周波数に設定され、特に、放送受信周波数帯の下側帯域内で変化するように設定される。
【００３３】
第１実施形態の放送用受信機付き携帯電話の特徴であるミアンダ素子１４は、ループ素子５と同時に動作するテレビジョン受信用内蔵アンテナである。ミアンダ素子１４は、例えば、線径が０.５ｍｍ程度の導線を幅５ｍｍ、長さ３５ｍｍ、ピッチ幅１ｍｍでミアンダ状に成形して構成される。ミアンダ素子１４は、ループ素子５よりも上端部側に、その軸方向が携帯電話の幅方向、すなわちＹ軸方向に平行となり、ミアンダ素子１４の幅方向が携帯電話の厚み方向、すなわちＸ軸方向に平行となるように配置される。このとき、ループ素子５の開口面５ａとミアンダ素子１４の幅方向が平行となる。また、ミアンダ素子１４は、ループ素子５との間隔Ｌ５を２ｍｍ程度離して配置されている。ミアンダ素子１４の給電端がループ素子５の給電部９に直結されることにより、ループ素子５と並列に給電される。ミアンダ素子１４は、共振周波数が前記放送受信周波数帯の上側帯域内に設定される。
【００３４】
次に、給電点７のＶＳＷＲ特性を示した図３及び図４を参照しながら、ループ素子５の同調周波数とミアンダ素子１４の共振周波数の関係について説明する。
先ず、図４に示すＬｏｗＢａｎｄ(例えば、周波数が４７０〜５７０ＭＨｚ)における受信チャネルを設定する場合について説明する。
図３に示すように、ループ素子５において、グランドに接続されていない側の端部７に可変容量ダイオードＶＤ１を直列に接続し、コンデンサＣｌを介して回路基板１３の高周波グランドに接地する。コンデンサＣｌの容量値は、可変同調回路８によって決定されるループ素子５の共振周波数がテレビジョン受信チャネルに対応して変化するように、すなわちトラッキングされるように適切に設定される。
【００３５】
例えば、コンデンサＣ１の容量値は、可変容量ダイオードＶＤ１の逆バイアス電圧すなわちチューニング電圧１２が０.５Ｖの時には図４に符号１８で示すＶＳＷＲ特性の状態になるように設定し、２.７Ｖの時には図４に符号１９で示すＶＳＷＲ特性の状態になるように設定する。
上記チューニング電圧１２の変化をテレビジョン受信回路１０の受信チャネルに対応させることにより、ループ素子５の同調周波数が受信チャネルに対応して４７０〜５７０ＭＨｚの範囲で変化することになる。
【００３６】
このように、ループ素子５の同調周波数の変化範囲を４７０〜５７０ＭＨｚ程度に設定する場合は、実用的な可変容量ダイオードを用いてアンテナ効率の大きな劣化を伴わずに済む。これを例えば、４７０〜７１０ＭＨｚの広い周波数可変範囲を得るように可変容量ダイオードの容量変化比を高めた場合、一般に可変容量ダイオードの直列等価抵抗が増大するためアンテナ効率の劣化を招いてしまう。
【００３７】
この問題を解決するために、ミアンダ素子１４の共振周波数を６４０ＭＨｚ程度となるように素子長などの各パラメータを設定する。このように構成されたミアンダ素子１４は、ループ素子５よりも比較的広帯域な特性を示し、ＨｉｇｈＢａｎｄすなわち、５７０ＭＨｚ〜７１０ＭＨｚ程度の周波数範囲で高いアンテナ効率が得られる。
ミアンダ素子１４の共振周波数はループ素子５の可変同調回路８に依存せず、常に図４に符号２０で示すＶＳＷＲ特性の状態を得ることができる。
【００３８】
このように構成することで、４７０〜５７０ＭＨｚを受信する場合はループ素子５により、また、５７０ＭＨｚ〜７１０ＭＨｚを受信する場合はミアンダ素子１４によって高いアンテナ効率が得ることができ、全周波数帯域にわたって高い受信感度が得られる。
ここで、仮に、図２（Ｃ）及び（Ｄ）に示すように、ミアンダ素子１４が配置されていた空間を利用して、素子幅をＬ３＋Ｌ５＝１０ｍｍまで広げたループ素子５のみのアンテナ構成を考える。図（Ａ）及び（Ｂ）に示すループ素子５は図（Ｃ）及び（Ｄ）に示すものに比べて素子幅がＬ５＝２ｍｍ分だけ狭くなっただけであり、開口面５ａの面積が変化しないため、両ループ素子の帯域幅はほとんど変わらない。
したがって、図（Ａ）及び（Ｂ）の構成では、内蔵アンテナが占める空間の体積を増加させることなく、全周波数帯域にわたって高い受信感度が得られることになる。
【００３９】
このように、本第１の実施形態に係る携帯電話装置の特徴は、ループ素子５の開口面５ａに平行にミアンダ素子１４を配置し、両素子を給電点で直結し並列に給電し、上下に分割された周波数帯を両素子が分担してアンテナとして動作することにより全周波数帯域にわたって高い受信感度が得られる点である。
【００４０】
なお、ミアンダ素子１４の共振周波数をＬｏｗＢａｎｄ側、すなわち４７０〜５７０ＭＨｚに設定し、ループ素子５の同調周波数をＨｉｇｈＢａｎｄ側に設定しても一定の効果が得られるが、この場合ミアンダ素子１４が担当するＬｏｗＢａｎｄがＨｉｇｈＢａｎｄに比較して波長が長いためミアンダ素子が大型化するのでそのためのスペース、空間を確保する必要がある。
また、ミアンダ素子１４の配置位置として、ループ素子５よりも上端部側、すなわちＺ側に配置する方が、電界型アンテナ素子であるミアンダ素子１４からみた開放空間が大きくでき放射抵抗と帯域幅の増加が期待できる。逆に、磁界型アンテナ素子であるループ素子５にとっては、上端部側にミアンダ素子１４が存在したとしてもこれによる性能の劣化はきわめて小さい。
本実施形態では、ループ素子５に並列に接続する素子としてミアンダ素子１４を用いているが、内蔵される筐体内のスペースに応じてヘリカル状に構成したヘリカル素子を用いてもよい。
また、携帯電話の形状は折り畳み型に限るものではなく、ストレート型やスライド型の形状であっても同様な効果が得られる。
(第２実施形態)
【００４１】
次に、本発明の第２実施携帯について説明する。なお、すでに前述した部位と共通する部位には同じ符号を付して、重複する説明を省略することとする。
図５及び図６は、本発明に係る第２実施形態の放送用受信機付き携帯電話の基本的構成図である。第２実施形態の放送用受信機付き携帯電話の特徴であるループ素子２１は、ループ素子５と同時に動作するテレビジョン受信用内蔵アンテナである。この放送用受信機付き携帯電話では、筐体１上端部近傍に設けられた放送受信用アンテナとして動作する第１のループ素子としてのループ素子５と、第１のループ素子５の同調周波数を変化する可変同調手段であるか変同調回路８と、ループ素子５に近接して配置した放送受信用アンテナとして動作する第２のループ素子であるループ素子２１とを備えている。
【００４２】
すなわち、ループ素子２１は、例えば、幅が５ｍｍ（Ｌ８）、長さ６０ｍｍの導体板を折り曲げ成形して構成されたものであり、ループの開口面２１ａの寸法は、例えば、２７ｍｍ（Ｌ９）×３ｍｍ（Ｌ７）である。この場合のループ長は、テレビジョン放送ＵＨＦ帯(４７０ＭＨｚ)において、約０.１波長となる。
【００４３】
ループ素子２１は、ループ素子５の内側に、その開口面２１ａが携帯電話の厚み方向と幅方向に平行になるように配置されており、ループ素子５の開口面５ａと平行に配置されている。また、ループ素子２１とループ素子５との間隔は、携帯電話の厚み方向に１ｍｍ（Ｌ１０）となる。
このとき、ループ素子２１は、ループ素子５から、携帯電話の長手方向（Ｚ方向)に３ｍｍ（Ｌ１１)突出して配置される。すなわち、ループ素子２１はループ素子５よりも筐体１の上端部側に配置され、２ｍｍ（Ｌ１２)だけ重なるように設けられている。
【００４４】
ループ素子２１の素子端部には、コンデンサ２２を直列に接続しており、ループ素子２１のインダクタンスとコンデンサ２２が直列共振回路として動作する。
このように、２つのループ素子５、２１の開口面５ａ、２１ａを平行にして適切な間隔を設けて配置することにより、２つのループ素子５、２１が電磁的に結合して動作することになる。
なお、ループ素子２１に可変同調手段を設けるようにすることができる。また、ループ素子２１の同調周波数をループ素子５の同調周波数よりも高い周波数に設定するのが望ましい。
【００４５】
次に、給電部９のＶＳＷＲ特性を示した図７を参照しながら、ループ素子５の同調周波数とループ素子２１の同調周波数の関係について説明する。
先ず、図７に示すＬｏｗＢａｎｄ（例えば、周波数が４７０ＭＨｚ〜６５０ＭＨｚ)における受信チャネルを設定する場合について説明する。
ループ素子５において、例えば、コンデンサＣ１の容量値は、可変容量ダイオードＶＤ１の逆バイアス電圧すなわちチューニング電圧１２がO．５Ｖの時には図７に符号２３で示すＶＳＷＲ特性の状態になるように設定し、２.７Ｖの時には図７に符号２４で示すＶＳＷＲ特性の状態になるように設定する。
【００４６】
上記チューニング電圧１２の変化をテレビジョン受信回路１０の受信チャネルに対応させることにより、ループ素子５の同調周波数が受信チャネルに対応して４７０〜６５０ＭＨｚの範囲で変化することになる。
このように、ループ素子５の同調周波数の変化範囲を４７０〜６５０ＭＨｚ程度に設定する場合は、実用的な可変容量ダイオードを用いてアンテナ効率の劣化を小さく抑えられる。これを例えば、４７０ＭＨｚ〜７１０ＭＨｚの広い周波数可変範囲を得るように可変容量ダイオードの容量変化比を高めた場合、一般に可変容量ダイオードの直列等価抵抗が増大するためアンテナ効率の劣化を招いてしまう。
【００４７】
この問題を解決するために、ループ素子２１の共振周波数を６８０ＭＨｚ程度となるように素子長やコンデンサ２２の容量値Ｃ２などの各パラメータを設定する。このように構成されたループ素子２１は、ループ素子２１の同調周波数をループ素子５の同調周波数よりも高い周波数（ＨｉｇｈＢａｎｄ）すなわち、６５０ＭＨｚ〜７１０ＭＨｚ程度の周波数範囲で高いアンテナ効率が得られる。
また、ループ素子２１の共振周波数はループ素子５の可変同調回路８に依存せず、常に図７に符号２５で示すＶＳＷＲ特性の状態を得ることができる。
【００４８】
以上、説明したように構成することで、４７０ＭＨｚ〜６５０ＭＨｚを受信する場合はループ素子５により、６５０ＭＨｚ〜７１０ＭＨｚを受信する場合はループ素子２１により高いアンテナ効率が得ることができ、全周波数帯域にわたって高い受信感度が得られる。
このように、本第２実施形態に係る携帯電話装置の特徴は、ループ素子５の内側に、開口面２１ａが平行になるようループ素子２１を配置し、両ループ素子５、２１によって上下に分割された周波数帯を両素子が分担してアンテナとして動作することにより全周波数帯域にわたって高い受信感度を得ることができる。
【００４９】
なお、コンデンサ２２を可変容量ダイオードとして、これにチューニング電圧を加えて可変同調回路を構成することで、ループ素子２１の同調周波数も変化する構成としてもよい。この場合、チューニング電圧１２を用いてチューニング電圧をループ素子５とループ素子２１で共用化することが回路構成の簡素化の面で望ましい。ループ素子２１の同調周波数をＨｉｇｈＢｎａｄ内において変化するように設定することで、ＨｉｇｈＢａｎｄの帯域幅を例えば１００ＭＨｚ程度まで広げれば、ＬｏｗＢａｎｄの帯域幅を狭くすることができるので、アンテナ効率の劣化をさらに低く抑えることができる。
また、二つのループ素子５、２１の配置関係は本実施形態に示すものに限らず、適切な結合度による電磁的結合が得られるような配置関係であればよい。
(第３実施形態)
【００５０】
次に、本発明の第３実施形態について説明する。なお、すでに前述した部位と共通する部位には同じ符号を付して、重複する説明を省略することとする。
図８及び図９は本発明に係る第３実施形態の放送用受信機付き携帯電話の基本構成図であり、図８は外付けループ素子２６を引き出した状態を示しており、図９は外付けループ素子２６を畳みこんだ状態を示している。
ここでは、テレビジョン放送を視聴する場合だけ、外付けループ素子２６を引き出して図８の状態にし、テレビジョン放送を視聴しない場合は図９のように外付けループ素子２６を畳み込んだ状態にすることを想定している。
【００５１】
本第３実施形態の放送用受信機付き携帯電話の特徴である外付けループ素子２６は、前述した第２のループ素子であるループ素子２１を可倒式構造として、このループ素子２１を引き出した状態においてループ素子２１の開口面２１ａと第１のループ素子であるループ素子５の開口面５ａが平行可能に構成し、ループ素子２１のループ長をループ素子５のループ長よりも長く設定するようにしている。
【００５２】
すなわち、外付けループ素子２６はループ素子５と同時に動作するテレビジョン受信用アンテナであって、カバー２７で覆われており、これらは固定治具２８に固定されている。固定治具２８は上部筐体１の側面に回転軸２９によって回動可能なように支持された構造となっている。カバー２７、固定治具２８及び回転軸２９は電気的な絶縁性を有する樹脂材料による成形品で構成される。
【００５３】
外付けループ素子２６のループ長は、ループ素子５のループ長よりも長く、例えば２倍程度に設定される。外付けループ素子２６は、例えば幅２ｍｍ、長さ１１５ｍｍの導体板を折り曲げ形成して構成されたものであり、ループの開口面２６ａの寸法は、例えば５０ｍｍ×７.５ｍｍである。この場合のループ長は、テレビジョン放送ＵＨＦ帯（４７０ＭＨｚ）において、約O．１８波長となる。
【００５４】
図８に示す状態の場合、外付けループ素子２６は、上部筐体１の上端部の外側に、その開口面２６ａが携帯電話の厚み方向と幅方向に平行になるように配置される。すなわち、外付けループ素子２６の開口面２６ａは、ループ素子５の開口面５ａと平行になる。
このとき、外付けループ素子２６は、ループ素子５から携帯電話の長手方向（Ｚ方向）に例えば１０ｍｍ突出して配置され、２つのループ素子５、２６の開口面５ａ、２６ａを平行にして適切な間隔を設けて配置されることになり、２つのループ素子５、２６間に電磁的な結合が得られる。
外付けループ素子２６の素子端部には、コンデンサ２２を直列に接続しており、外付けループ素子２６のインダクタンスとコンデンサ２２が直列共振回路として動作する。
【００５５】
次に、図８の状態におけるＶＳＷＲ特性を示した図１０を参照しながら、ループ素子５の同調周波数と外付けループ素子２６の共振周波数の関係について説明する。
先ず、図１０に示すＨｉｇｈＢａｎｄ（例えば、周波数が５３０ＭＨｚ〜７１０ＭＨｚ）における受信チャネルを設定する場合について説明する。
ループ素子５において、例えば、コンデンサ２２の容量値C１は、可変容量ダイオードＶＤ１の逆バイアス電圧すなわちチューニング電圧１２がO.５Ｖの時には図１０に符号３０で示すＶＳＷＲ特性の状態になるように設定し、２.７Ｖの時には図１０に符号３１で示すＶＳＷＲ特性の状態になるように設定する。
【００５６】
上記チューニング電圧１２の変化をテレビジョン受信回路１０の受信チャネルに対応させることにより、ループ素子５の同調周波数が受信チャネルに対応して５３０〜７１０ＭＨｚの範囲で変化することになる。
このように、ループ素子５の同調周波数の変化範囲を５３０ＭＨｚ〜７１０ＭＨｚ程度に設定する場合は、実用的な可変容量ダイオードを用いてアンテナ効率の大きな劣化を伴わずに済む。これを例えば、４７０ＭＨｚ〜７１０ＭＨｚの広い周波数可変範囲を得るように可変容量ダイオードの容量変化比を高めた場合、一般に可変容量ダイオードの直列等価抵抗が増大するためアンテナ効率の劣化を招いてしまう。
【００５７】
この問題を解決するために、外付けループ素子２６の共振周波数を４９０ＭＨｚ程度となるように素子長やコンデンサ２２の容量値C３などの各パラメータを設定する。
ここで、外付けループ素子２６の開口面２６ａの面積がループ素子５の開口面５ａの面積よりも大きく設定されており、かつ上部筐体１の上端部に突出して配置されることから、ＬｏｗＢａｎｄすなわち、４７０ＭＨｚ〜５３０ＭＨｚ程度の低い周波数範囲であっても高いアンテナ効率が得られることになる。
【００５８】
外付けルー一プ素子２６の共振周波数はループ素子５の可変同調回路８に依存せず、常に図１０に符号３２で示すVSWR特性の状態を得ることができる。
以上、説明したように構成することで、４７０ＭＨｚ〜５３０ＭＨｚを受信する場合は外付けループ素子２６により、５３０ＭＨｚ〜７１０ＭＨｚを受信する場合はループ素子５によって高いアンテナ効率が得ることができ、全周波数帯域にわたって高い受信感度が得られる。
【００５９】
このように、本第３の実施形態に係る携帯電話装置の特徴は、ループ素子５の上端部側に、開口面２６ａが平行になるよう外付けループ素子２６を配置し、両ループ素子５、２６によって上下に分割された周波数帯を両素子が分担してアンテナとして動作することにより全周波数帯域にわたって高い受信感度が得られる点である。
【００６０】
なお、テレビジョン放送を視聴しない場合、図９で示すように外付けループ素子２６を回転軸２９を中心として回動させて畳み込んでおけば、外付けループ素子２６が突出することなく邪魔になることはない。
また、図９に示す場合には、外付けループ素子２６の開口面２６ａは上部筐体１の背面カバー４に平行に配置される。すなわち、外付けループ素子２６の開口面２６ａとループ素子５の開口面５ａとは直角方向に配置されることになり、電磁的結合はほとんどないため、ループ素子５の動作には影響しない。したがって、５３０ＭＨｚ〜７１０ＭＨｚを受信する場合は、外付けループ素子２６は引き出す必要がなく、突出部がない状態での使用が可能となる。
なお、外付けループ素子２６の引き出し構造は本実施形態に示すものに限らず、例えばスライド式で引き出す構造など、筐体内部に内蔵されたループ素子よりも外側に突出した構造でかつ電磁的結合が得られる外付けループが実現できる構成であればよい。
【産業上の利用可能性】
【００６１】
以上のように、本発明にかかる放送用受信機付き携帯電話は、ループ素子の開口面に平行にミアンダ素子を配置し、両素子を給電点で直結し並列に給電し、上下に分割された周波数帯を両素子が分担してアンテナとして動作することにより、広帯域にわたって常に高い受信感度性能が得られるという効果を有し、放送受信機能を有する放送用受信機付き携帯電話等として有用である。
【図面の簡単な説明】
【００６２】
【図１】第１実施形態に係る放送用受信機付き携帯電話の基本的構成図である。
【図２】（Ａ）は第１実施形態に係る携帯電話装置のループ素子およびミアンダ素子を示す側面図、（Ｂ）は第１実施形態に係る携帯電話装置のループ素子およびミアンダ素子を示す正面図、（Ｃ）は第１実施形態に係る携帯電話装置のループ素子を示す側面図、（Ｄ）第１実施形態に係る携帯電話装置のループ素子を示す正面図である。
【図３】第１実施形態に係る可変同調回路を示す回路図である。
【図４】第１実施形態の放送用受信機付き携帯電話におけるＶＳＷＲ特性を示すグラフである。
【図５】第２実施形態に係る放送用受信機付き携帯電話の基本的構成図である。
【図６】（Ａ）は第２実施形態に係る携帯電話装置のループ素子を示す側面図、（Ｂ）は第２実施形態に係る携帯電話装置のループ素子を示す正面図、（Ｃ）第２実施形態に係る携帯電話装置のルー一プ素子を示す断面図である。
【図７】第２実施形態の放送用受信機付き携帯電話におけるＶＳＷＲ特性を示すグラフである。
【図８】（Ａ）は第３実施形態に係る携帯電話装置の外付け折り畳みループ素子を伸張した状態を示す側面図、（Ｂ）第３実施形態に係る携帯電話装置の外付け折り畳みループ素子を伸張した状態を示す正面図、（Ｃ）第３実施形態に係る携帯電話装置の外付け折り畳みループ素子を伸張した状態を示す断面図である。
【図９】（Ａ）は第３実施形態に係る携帯電話装置の外付け折り畳みループ素子を収納した状態を示す側面図、（Ｂ）第３実施形態に係る携帯電話装置の外付け折り畳みループ素子を収納した状態を示す正面図である。
【図１０】第３実施形態の放送用受信機付き携帯電話におけるＶＳＷＲ特性を示すグラフである。
【図１１】従来の放送用受信機付き携帯電話の基本的構成図である。
【符号の説明】
【００６３】
１  上部筐体（筐体）
５  ループ素子（第１のループ素子）
５ａ  開口面
８  可変同調回路（可変同調手段）
９  給電部
１４  ミアンダ素子
２６  ループ素子（第２のループ素子）
２６ａ  開口面
【図１】
2006325133.tif 000003
【図２】
2006325133.tif 000004
【図３】
2006325133.tif 000005
【図４】
2006325133.tif 000006
【図５】
2006325133.tif 000007
【図６】
2006325133.tif 000008
【図７】
2006325133.tif 000009
【図８】
2006325133.tif 000010
【図９】
2006325133.tif 000011
【図１０】
2006325133.tif 000012
【図１１】
2006325133.tif 000013